(57)【要約】【課題】  隠し文字等が印刷された印刷文書の複製により当該隠し文字等の情報を明確に印刷文書上に示すことができるようにした画像形成装置を提供する。【解決手段】  地紋を印刷出力することが指示された地紋印刷制御部１０１では、地紋印刷設定情報記憶部１０２に記憶する地紋印刷に用いる設定情報を取得して地紋印刷における制御処理を行う。この地紋印刷制御部１０１における地紋印刷の制御処理は、隠し文字部分および背景部分の印刷に用いるスクリーン数を変化させるほか、各スクリーンのドットサイズを変更することにより地紋印刷を行う。【選択図】図１
2010087780.tif 000002
【特許請求の範囲】
【請求項１】
網点線数を少なくして寸法を大きくし複写により顕在化する第１の点画像および網点線数を多くして寸法を小さくし複写により非顕在化する第２の点画像を含み、隠し文字部分若しくは背景部分の少なくとも一方に、第１の色が指定された前記第１の点画像に第２の色が指定された前記第２の点画像を重ね合わせた画像データを生成する画像データ生成手段と、
前記画像データ生成手段で生成された画像データを用いて画像形成を行う画像形成手段と
を具備する画像形成装置。
【請求項２】
前記画像データ生成手段は、
前記隠し文字部分に、マゼンタ色が指定された前記第１の点画像を配設するとともに、該第１の点画像に重ねて、シアン色、イエロー色が指定された前記第２の点画像を所定間隔で配設し、前記背景部分に、シアン色、マゼンタ色、イエロー色が指定された前記第２の点画像を所定の間隔で配設した画像データを生成する請求項１記載の画像形成装置。
【請求項３】
前記画像データ生成手段は、
前記隠し文字部分に、該第１の点画像に重ねて、シアン色、イエロー色が指定され前記第２の点画像を隣接配設し、前記背景部分に、シアン色、マゼンタ色、イエロー色が指定された前記第２の点画像を所定の間隔で配設した画像データを生成する請求項１記載の画像形成装置。
【請求項４】
前記画像データ生成手段は、
前記隠し文字部分に、黒色が指定された前記第１の点画像を配設し、前記背景部分に、マゼンタ色が指定された前記第１の点画像を配設するとともに、該第１の点画像に重ねて、シアン色、イエロー色が指定された前記第２の点画像を所定間隔で配設した画像データを生成する請求項１記載の画像形成装置。
【請求項５】
前記画像データ生成手段は、
前記隠し文字部分に、第１の色および第２の色が指定された前記第１の点画像を配設し、前記背景部分に、前記第２の色が指定された前記第１の点画像を配設するとともに、該第１の点画像に重ねて、前記第１の色が指定された前記第２の点画像を所定間隔で配設した画像データを生成する請求項１記載の画像形成装置。
【請求項６】
前記画像データ生成手段は、
前記隠し文字部分に、第１の色が指定された前記第１の点画像を配設するとともに、該第１の点画像に重ねて、前記第２の色が指定された前記第１の点画像を配設し、前記背景部分に、前記第２の色が指定された前記第１の点画像を配設するとともに、該第１の点画像に重ねて、前記第１の色が指定された前記第２の点画像を所定間隔で配設した画像データを生成する請求項１記載の画像形成装置。
【請求項７】
前記画像データ生成手段は、
前記隠し文字部分に、第１の色が指定された前記第１の点画像を配設するとともに、該第１の点画像に重ねて、前記第２の色が指定された前記第２の点画像を所定間隔で配設し、前記背景部分に、前記第１の色が指定された前記第２の点画像および前記第２の色が指定された前記第２の点画像を所定間隔で配設した画像データを生成する請求項１記載の画像形成装置。
【請求項８】
前記画像データ生成手段は、
前記隠し文字部分に、第１の色が指定された前記第１の点画像を配設するとともに、該第１の点画像に重ねて、前記第２の色が指定された前記第２の点画像を所定間隔で配設し、前記背景部分に、第２の色が指定された前記第１の点画像を配設するとともに、該第１の点画像に重ねて、前記第１の色が指定された前記第２の点画像を所定間隔で配設した画像データを生成する請求項１記載の画像形成装置。
【請求項９】
前記画像データ生成手段は、
前記隠し文字部分に、マゼンタ色、シアン色、イエロー色が指定された前記第１の点画像を重ねて配設し、前記背景部分に、シアン色、マゼンタ色、イエロー色が指定された前記第２の点画像を所定の間隔で配設した画像データを生成する請求項１記載の画像形成装置。
【請求項１０】
前記画像データ生成手段は、
前記隠し文字部分に、第１の色、第２の色が指定された前記第１の点画像を重ねて配設し、前記背景部分に、第１の色、第２の色が指定された前記第２の点画像を所定の間隔で配設した画像データを生成する請求項１記載の画像形成装置。
【請求項１１】
前記画像データ生成手段は、
前記隠し文字部分に、シアン色、マゼンタ色、イエロー色が指定された前記第１の点画像を重ねて配設し、前記背景部分に、黒色が指定された前記第２の点画像を所定の間隔で配設した画像データを生成する請求項１記載の画像形成装置。
【発明の詳細な説明】
【技術分野】
【０００１】
本発明は、画像形成装置に関する。
【背景技術】
【０００２】
重要な印刷文書などの複製を抑制するとともに、不正に複製が行われた場合でも複製された印刷文書であることを明示する印刷技術として地紋印刷がある。この地紋印刷は、印刷文書の背景に特定の文字を複製前の印刷文書状態では認識できない程度若しくはその文字を意識せず内容を理解できる程度の細かな模様を入れるて印刷出力を行うという技術である。
【０００３】
この地紋印刷では、不正に複製が行われた場合にはこの文字を視認できる程度に浮き出させ、複製が行われた印刷文書であることを示すことができる。
【０００４】
この特定の文字として、例えば「コピー禁止」、「禁複写」、「禁複製」などの不正な複製を警告する文字等がある。
【０００５】
特許文献１に開示された従来技術では、２つの異なる形状からなるディザパターンを形成し、これらを重ね合わせて印刷出力した原本を生成することにより、当該原本が複製された場合、その原本とコピーとの判別を容易に行うことができるとともに不正なコピーを防止することができる印刷物を、普通紙を用いて出力することができるようにしている。
【特許文献１】特開２００１−２６８３３７号公報
【発明の開示】
【発明が解決しようとする課題】
【０００６】
本発明は、地紋印刷で隠し文字等の文字情報部分が印刷された印刷文書が複製されることにより当該隠し文字等の情報を明確に印刷文書上に示すことができるようにした画像形成装置を提供することを目的とする。
【課題を解決するための手段】
【０００７】
上記目的を達成するため、請求項１の発明は、網点線数を少なくして寸法を大きくし複写により顕在化する第１の点画像および網点線数を多くして寸法を小さくし複写により非顕在化する第２の点画像を含み、隠し文字部分若しくは背景部分の少なくとも一方に、第１の色が指定された前記第１の点画像に第２の色が指定された前記第２の点画像を重ね合わせた画像データを生成する画像データ生成手段と、前記画像データ生成手段で生成された画像データを用いて画像形成を行う画像形成手段とを具備する。
【０００８】
また、請求項２の発明は、請求項１の発明において、前記画像データ生成手段は、前記隠し文字部分に、マゼンタ色が指定された前記第１の点画像を配設するとともに、該第１の点画像に重ねて、シアン色、イエロー色が指定された前記第２の点画像を所定間隔で配設し、前記背景部分に、シアン色、マゼンタ色、イエロー色が指定された前記第２の点画像を所定の間隔で配設した画像データを生成する。
【０００９】
また、請求項３の発明は、請求項１の発明において、前記画像データ生成手段は、前記隠し文字部分に、該第１の点画像に重ねて、シアン色、、イエロー色が指定され前記第２の点画像を隣接配設し、前記背景部分に、シアン色、マゼンタ色、イエロー色が指定された前記第２の点画像を所定の間隔で配設した画像データを生成する。
【００１０】
また、請求項４の発明は、請求項１の発明において、前記画像データ生成手段は、前記隠し文字部分に、黒色が指定された前記第１の点画像を配設し、前記背景部分に、マゼンタ色が指定された前記第１の点画像を配設するとともに、該第１の点画像に重ねて、シアン色、イエロー色が指定された前記第２の点画像を所定間隔で配設した画像データを生成する。
【００１１】
また、請求項５の発明は、請求項１の発明において、前記画像データ生成手段は、前記隠し文字部分に、第１の色および第２の色が指定された前記第１の点画像を配設し、前記背景部分に、前記第２の色が指定された前記第１の点画像を配設するとともに、該第１の点画像に重ねて、前記第１の色が指定された前記第２の点画像を所定間隔で配設した画像データを生成する。
【００１２】
また、請求項６の発明は、請求項１の発明において、前記画像データ生成手段は、前記隠し文字部分に、第１の色が指定された前記第１の点画像を配設するとともに、該第１の点画像に重ねて、前記第２の色が指定された前記第１の点画像を配設し、前記背景部分に、前記第２の色が指定された前記第１の点画像を配設するとともに、該第１の点画像に重ねて、前記第１の色が指定された前記第２の点画像を所定間隔で配設した画像データを生成する。
【００１３】
また、請求項７の発明は、請求項１の発明において、前記画像データ生成手段は、前記隠し文字部分に、第１の色が指定された前記第１の点画像を配設するとともに、該第１の点画像に重ねて、前記第２の色が指定された前記第２の点画像を所定間隔で配設し、前記背景部分に、前記第１の色が指定された前記第２の点画像および前記第２の色が指定された前記第２の点画像を所定間隔で配設した画像データを生成する。
【００１４】
また、請求項８の発明は、請求項１の発明において、前記画像データ生成手段は、前記隠し文字部分に、第１の色が指定された前記第１の点画像を配設するとともに、該第１の点画像に重ねて、前記第２の色が指定された前記第２の点画像を所定間隔で配設し、前記背景部分に、第２の色が指定された前記第１の点画像を配設するとともに、該第１の点画像に重ねて、前記第１の色が指定された前記第２の点画像を所定間隔で配設した画像データを生成する。
【００１５】
また、請求項９の発明は、請求項１の発明において、前記画像データ生成手段は、前記隠し文字部分に、マゼンタ色、シアン色、イエロー色が指定された前記第１の点画像を重ねて配設し、前記背景部分に、シアン色、マゼンタ色、イエロー色が指定された前記第２の点画像を所定の間隔で配設した画像データを生成する。
【００１６】
また、請求項１０の発明は、請求項１の発明において、前記画像データ生成手段は、前記隠し文字部分に、第１の色、第２の色が指定された前記第１の点画像を重ねて配設し、前記背景部分に、第１の色、第２の色が指定された前記第２の点画像を所定の間隔で配設した画像データを生成する。
【００１７】
また、請求項１１の発明は、請求項１の発明において、前記画像データ生成手段は、前記隠し文字部分に、シアン色、マゼンタ色、イエロー色が指定された前記第１の点画像を重ねて配設し、前記背景部分に、黒色が指定された前記第２の点画像を所定の間隔で配設した画像データを生成する。
【発明の効果】
【００１８】
本発明の請求項１によれば、隠し文字等の文字情報部分が印刷された印刷文書が複製されることにより当該隠し文字等の情報を明確に印刷文書上に示すことができるようになるという効果を奏する。
【００１９】
また、請求項２によれば、隠し文字等の文字情報部分が印刷された印刷文書が複製されることにより当該隠し文字等の情報を明確に印刷文書上に示すことができるようになるという効果を奏する。
【００２０】
また、請求項３によれば、隠し文字等の文字情報部分が印刷された印刷文書が複製されることにより当該隠し文字等の情報を明確に印刷文書上に示すことができるようになるという効果を奏する。
【００２１】
また、請求項４によれば、隠し文字等の文字情報部分が印刷された印刷文書が複製されることにより当該隠し文字等の情報を明確に印刷文書上に示すことができるようになるという効果を奏する。
【００２２】
また、請求項５によれば、隠し文字等の文字情報部分が印刷された印刷文書が複製されることにより当該隠し文字等の情報を明確に印刷文書上に示すことができるようになるという効果を奏する。
【００２３】
また、請求項６によれば、隠し文字等の文字情報部分が印刷された印刷文書が複製されることにより当該隠し文字等の情報を明確に印刷文書上に示すことができるようになるという効果を奏する。
【００２４】
また、請求項７によれば、隠し文字等の文字情報部分が印刷された印刷文書が複製されることにより当該隠し文字等の情報を明確に印刷文書上に示すことができるようになるという効果を奏する。
【００２５】
また、請求項８によれば、隠し文字等の文字情報部分が印刷された印刷文書が複製されることにより当該隠し文字等の情報を明確に印刷文書上に示すことができるようになるという効果を奏する。
【００２６】
また、請求項９によれば、隠し文字等の文字情報部分が印刷された印刷文書が複製されることにより当該隠し文字等の情報を明確に印刷文書上に示すことができるようになるという効果を奏する。
【００２７】
また、請求項１０によれば、隠し文字等の文字情報部分が印刷された印刷文書が複製されることにより当該隠し文字等の情報を明確に印刷文書上に示すことができるようになるという効果を奏する。
【００２８】
また、請求項１１によれば、隠し文字等の文字情報部分が印刷された印刷文書が複製されることにより当該隠し文字等の情報を明確に印刷文書上に示すことができるようになるという効果を奏する。
【発明を実施するための最良の形態】
【００２９】
以下、本発明に係わる画像形成装置の一実施例を添付図面を参照して詳細に説明する。
【実施例】
【００３０】
図１は、本発明の実施の形態における画像形成装置を適用して構成した印刷装置の構成を示す図の一例である。
【００３１】
図１において、画像形成装置は、画像制御部１００、印刷出力部１１０、ユーザインターフェース部１２０、通信インターフェース部１２１を具備して構成され、ユーザインターフェース部１２０若しくは通信インターフェース部１２１から地紋印刷の指示を画像制御部１００へ行うことで画像制御部１００が地紋印刷にかかる制御処理を行う。
【００３２】
地紋印刷は、印刷用紙等の印刷媒体（以下、「印刷用紙」という）に隠し文字を埋め込む（非潜在化させる）印刷方法であって、隠し文字部分と背景部分とが色の相互関係を有することにより地紋を形成する。この地紋印刷により、地紋が印刷された印刷用紙が原本であるか若しくは複写された複写物であるかを識別する。
【００３３】
地紋印刷による地紋の一例を図２に示す。図２には、印刷用紙に印刷された地紋の一部を表しており、地紋は「隠し文字部分」と「背景部分」とから構成される。この図２に示すような地紋が印刷された原本の印刷用紙を複写処理すると、隠し文字部分と背景部分との間に色相若しくはコントラストの差が生じることとなり、隠し文字部分が浮き上がって（潜在化して）視認できるようになる。この状態における印刷用紙は複写された複写印刷用紙であることを示す。
【００３４】
図２は、原本の印刷用紙に印刷された地紋の一部を抜き出した図およびその地紋の特定箇所を拡大した図である。この図２では、「禁複写」という文字を隠し文字としている。
【００３５】
図２（ａ）は、地紋の背景部分をグレー色で印刷出力するとともに隠し文字部分についてもグレー色で印刷出力した例を示している。すなわち、隠し文字部分と背景部分とが一体化し、隠し文字の存在を意識することを必要としない。
【００３６】
この隠し文字部分の一部を拡大した図が図２（ｂ）であって、この図２（ｂ）により隠し文字部分がドット部分（点画像）とその他の部分とから構成されていることが示され、ドット部分が一体的・連続的に配置させることで隠し文字を形成している。
【００３７】
図１に示す画像制御部１００は、地紋印刷制御部１０１、地紋印刷設定情報記憶部１０２、画像生成部１０３、色材情報取得部１０４を具備し、図２に示すような地紋を印刷出力することが指示されると、地紋印刷制御部１０１が地紋印刷設定情報記憶部１０２に記憶する地紋印刷に用いる設定情報を取得して地紋印刷における制御処理を行う。
【００３８】
このとき、地紋印刷制御部１０１では、色材情報取得部１０４が印刷出力部１２０の出力制御部１１１から取得した地紋印刷に用いる色材の種類、各色材の残量、各色材の使用可否などその他の色材情報を用いて処理を行うことも可能である。この色材の種類として、例えばシアン色、マゼンタ色、イエロー色、ブラック色などがあり、また各色材の残量として、例えば総量に対する残量の割合などがある。さらに、各色材の使用可否として、例えば残量が一定割合以下の場合や色材を搭載していない場合に使用できない状態にあることを示す。
【００３９】
この地紋印刷制御部１０１における地紋印刷の制御処理は、隠し文字部分および背景部分の印刷に用いるスクリーン数を変化させるほか、各スクリーンのドットサイズを変更することにより地紋印刷を行う処理である。
【００４０】
スクリーン数およびドットサイズを変更させて行う地紋印刷の例を図３〜図２１を用いて以下で説明する。
【００４１】
図３〜図２１に示すようなスクリーン数およびドットサイズとする地紋印刷の制御処理が行われた地紋印刷制御部１０１では、その地紋印刷の制御処理により作成された地紋印刷データを画像生成部１０３へ送出する。この画像生成部１０３では、地紋印刷制御部１０１から送出された地紋印刷データに基づいて印刷出力する画像データを生成する。
【００４２】
画像生成部１０３で画像データが生成されると、出力処理部１１２へと画像データを送出し、また出力制御部１１１へと画像データの生成完了を示す信号を送出する。出力制御部１１１では、出力処理部１１２で出力処理を行うためのヒーターの暖めなどの準備処理を制御する。
【００４３】
また、出力制御部１１１では、出力処理部１１２で出力処理に用いる色材に関する色材情報を管理する。
【００４４】
そして、出力処理部１１２は、画像生成部１０３から送出された画像データの出力処理を行うことによって印刷用紙に地紋を印刷出力する。
【００４５】
以下では、地紋印刷制御部１０１による地紋印刷の制御処理の具体例を図３〜図２１を用いて説明する。
【００４６】
図３は、隠し文字部分および背景部分における配色状態を示す図である。
【００４７】
図３（ａ）は、隠し文字部分の配色状態を示しており、異なる色材二色を重ね合わせることにより配色された部分と、重ね合わせに用いた色材一色のみで配色された部分とからなる。
【００４８】
図３（ａ）に示す二色の重ねあわせ部分は、マゼンタ色の色材の上にシアン色とイエロー色の色材を重ね合わせた配色構造であり、一色のみの部分は、シアン色とイエロー色を隣り合わせた配色構造である。これは、下段のマゼンタ色の色材をシアン色の色材およびイエロー色の色材よりも少ないスクリーン数で印刷するとともに、そのマゼンタ色のスクリーンをシアン色の色材およびイエロー色の色材のドットサイズよりも大きなドットサイズで印刷出力した例を示している。また、マゼンタ色の色材の上に重ね合わせたシアン色とイエロー色の色材は隣り合わせて配色している。
【００４９】
この図３（ａ）では、それぞれスクリーン数「９個」のシアン色およびイエロー色を示しているのに対して、スクリーン数「２個」のマゼンタ色を示しているとともに、この２個のマゼンタ色のスクリーンは他の色材（シアン色、イエロー色）よりも大きなドットサイズであることを示す。
【００５０】
図３（ｂ）は、背景部分における配色の状態を示しており、シアン色、マゼンタ色、イエロー色を一定の間隔を空けて同一のスクリーン数および同一のドットサイズで配色した配色構造である。
【００５１】
この図３に示すような配色からなる地紋をスキャナなどの読取装置で読み取ることによって示されるコントラストの状態を図４に示す。
【００５２】
図４において、図４（ａ）は、図３（ａ）の配色構造からなる隠し文字部分の色材のコントラストを示し、マゼンタ色のコントラストがシアン色、イエロー色のコントラストよりも強いコントラストであることを示している
すなわち、スキャナなどの読取装置では、隠し文字部分を読み取ることによりマゼンタ色を強く認識していることを示す。
【００５３】
また、図４（ｂ）は、図３（ｂ）の配色構造からなる背景部分を上記の読取装置により読み取ることによって示されるコントラストを示し、シアン色、マゼンタ色、イエロー色のコントラストが同レベルの値であることを示している。
【００５４】
すなわち、スキャナなどの読取装置では、これらの色材を配合したグレー色として認識することを示す。
【００５５】
図３に示す配色構造によって印刷された図２に示すような地紋を有する印刷用紙を、複写処理した場合の複写印刷用紙における地紋を図６（ａ）に示す。なお、複写処理は、原本の印刷用紙を読取装置で読み取る「文書読取処理」とその文書読取処理により読み取った画像データを出力装置から出力する「文書出力処理」とを行うことにより実現される処理である。
【００５６】
図６（ａ）では、隠し文字部分がマゼンタ色で印刷出力されており、背景部分がグレー色によって印刷出力された状態を示す。
【００５７】
これは、地紋部分が図４に示すようにマゼンタ色のコントラストが強く認識したことによるものであり、また背景部分が図４に示すようにシアン色、マゼンタ色、イエロー色を同レベルで認識したことによるものである。
【００５８】
これによって、シアン色、マゼンタ色、イエロー色を同レベルで認識することにより表されるグレー色の背景部分とマゼンタ色により表される隠し文字部分とが大きな差の色相で表される。
【００５９】
なお、図６（ｂ）には、図３（ａ）のマゼンタ色とシアン色とを入れ替えて印刷出力した原本の印刷用紙を複写処理した状態を示している。すなわち、図３（ａ）において、シアン色の色材の上にマゼンタ色とイエロー色の色材を重ね合わせた構造により配色された隠し文字部分からなる原本の印刷用紙を複写処理した状態を示す。
【００６０】
ちなみに、シアン色とイエロー色を隣り合わせて配色していることから、シアン色とイエロー色とを一定の間隔を空けて配色したときよりも強いコントラストとなる。
【００６１】
図５は、図３に示す配色状態と類似し、マゼンタ色の色材の上にシアン色とイエロー色の色材を重ね合わせた構造からなり、シアン色とイエロー色の同一スクリーン数をマゼンタ色の１つのスクリーン上に重ね合わせた構造からなる。すなわち、マゼンタ色の１スクリーンあたりのドットサイズがシアン色とイエロー色のドットサイズの整数倍となる。
【００６２】
図５（ａ）に示す例では、マゼンタ色のドットサイズはシアン色若しくはイエロー色のドットサイズの「６倍」であって、スクリーン数「１」のマゼンタ色にスクリーン数「３」のシアン色、イエロー色を重ね合わせた構造となることを示す。
【００６３】
この図５（ａ）に示す配色からなる隠し文字部分を複写処理すると、図３（ａ）に示す配色からなる隠し文字部分よりも強いコントラストとなる。
【００６４】
図７は、図２に示す原本の印刷用紙に印刷された地紋の配色状態を示す他の図である。
【００６５】
図７（ａ）は、地紋の隠し文字部分の配色状態を示しており、単色のブラック色のみを配色している図である。また、図７（ｂ）は、地紋の背景部分の配色状態を示しており、二色の重ね合わせにより配色される部分と、一色のみで配色される部分とから構成される。
【００６６】
二色の重ねあわせ部分は、マゼンタ色の色材の上にシアン色とイエロー色の色材を重ね合わせた構造であり、一色のみの部分は、シアン色とイエロー色を隣り合わせた構造である。これは、下段のマゼンタ色の色材を上段のシアン色の色材およびイエロー色の色材よりも少ないスクリーン数で印刷するとともに、そのマゼンタ色のスクリーンをシアン色の色材およびイエロー色の色材のドットサイズよりも大きなドットサイズで印刷出力した例を示している。
【００６７】
すなわち、図７（ｂ）では、それぞれスクリーン数「９個」のシアン色およびイエロー色を示しているのに対して、スクリーン数「２個」のマゼンタ色を示しており、また、この２個のマゼンタ色のスクリーンは他の色材（シアン色、イエロー色）よりも大きなドットサイズであることを示す。
【００６８】
それに対して、図７（ａ）に示す隠し文字部分は、図７（ｂ）のマゼンタ色とほぼ等しいドットサイズで印刷出力し、またそのマゼンタ色のスクリーン数と同じスクリーン数で印刷出力している。
【００６９】
この図７に示すような配色によって印刷された図２に示すような地紋を有する原本の印刷用紙を、複写処理した場合の複写印刷用紙における地紋の配色状態を図８（ａ）に示す。
【００７０】
図８（ａ）に示す地紋の文字部分は、単色のブラック色で印刷出力された状態を示し、地紋の背景部分はマゼンタ色によって印刷出力された状態を示す。
【００７１】
これは、隠し文字部分が図７（ａ）に示すように黒色で印刷出力され、背景部分が図７（ｂ）に示すようにマゼンタ色の上にシアン色、イエロー色を重ね合わせた配色で印刷出力された状態を示し、背景部分についてはドットサイズの大きいマゼンタ色を強く認識していることを示している。
【００７２】
これにより、地紋の隠し文字部分の黒色と背景部分のマゼンタ色との色相の差が大きくなり、複写印刷用紙で隠し文字部分が認識される。
【００７３】
なお、図８（ｂ）には、図７（ｂ）のマゼンタ色とシアン色を入れ替えた配色により印刷出力した原本の印刷用紙を複写処理した場合の複写印刷用紙における地紋を示している。すなわち、図７（ｂ）において、シアン色の色材の上にマゼンタ色とイエロー色の色材を重ね合わせた構造により配色された背景部分からなる原本の印刷用紙を複写処理した状態を示している。
【００７４】
図８（ｂ）は、隠し文字部分が単色のブラック色で印刷出力されており、背景部分がシアン色で印刷出力された状態を示している。
【００７５】
図９および図１０は、シアン色、マゼンタ色、イエロー色のうちのいずれか２色を用いて印刷出力することによる色材の状態を示している。
【００７６】
図９および図１０では、シアン色とマゼンタ色を用いて印刷出力する場合について説明する。もちろん、この色の組合せのみに限定されることはない。
【００７７】
まず、図９において、図９（ａ）は、隠し文字部分の配色構造を示しており、シアン色とマゼンタ色を交互に配色した状態である。
【００７８】
また、図９（ｂ）は、背景部分の配色状態を示しており、シアン色とマゼンタ色の二色を重ね合わせされた部分と、一色のみで配色される部分とから構成される。
【００７９】
二色の重ね合わせ部分は、マゼンタ色の色材の上にシアン色の色材を重ね合わせた構造であり、一色のみの部分は、シアン色の色材を印刷出力した構造である。これは、下段のマゼンタ色の色材を上段のシアン色の色材よりも少ないスクリーン数で印刷するとともに、そのマゼンタ色のスクリーンをシアン色の色材のドットサイズよりも大きなドットサイズで印刷出力した例を示している。
【００８０】
図９（ｂ）に示す例では、マゼンタ色のスクリーン数が「２」であるのに対してシアン色のスクリーン数が「８」で構成されており、また、マゼンタ色の色材はシアン色の色材に比べて大きなドットサイズによって構成されている。
【００８１】
なお、図９（ａ）に示す隠し文字部分も図９（ｂ）の下段のマゼンタ色とほぼ等しい大きなドットサイズであることを示す。
【００８２】
この図９（ａ）および図９（ｂ）に示す配色によって印刷出力された地紋を図１１（ａ）に示す。
【００８３】
この図１１（ａ）に示す地紋は、隠し文字部分および背景部分ともにマゼンタ色とシアン色との配色により形成されるブルー色系の色相で印刷出力されているため、隠し文字部分と背景部分とが一体化し、隠し文字の存在を意識することを必要としない。
【００８４】
それに対して、この地紋が印刷された原本の印刷用紙を複写処理すると、複写後の複写印刷用紙には図１１（ｂ）に示すように、隠し文字部分がマゼンタ色とシアン色によるブルー色で印刷出力され、背景部分がマゼンタ色で印刷出力されることとなる。この背景部分については、図９（ｂ）に示す配色により大きなドットサイズのマゼンタ色が強く認識されることによる。
【００８５】
すなわち、複写後の複写印刷用紙の隠し文字部分と背景部分とが異なる色相となり、隠し文字部分が認識されることとなる。
【００８６】
次に、図１０において、図１０（ａ）は、隠し文字部分の配色状態を示しており、シアン色とマゼンタ色を重ね合わせた配色構造からなる。
【００８７】
図１０（ｂ）は、背景部分の配色状態を示しており、図９（ｂ）に示す配色状態と同一である。
【００８８】
この図１０（ａ）および図１０（ｂ）に示す配色構造の地紋は、図９に示す配色と同様に、隠し文字部分および背景部分ともにブルー色の色相で印刷出力される。このため、隠し文字部分と背景部分とが一体化し、隠し文字の存在を意識することを必要としない。
【００８９】
それに対して、この地紋が印刷された原本の印刷用紙を複写処理すると、複写後の複写印刷用紙には図１１（ｂ）に示すように、隠し文字部分がマゼンタ色とシアン色によるブルー色で印刷出力され、背景部分がマゼンタ色で印刷出力されることとなる。この背景部分については、図１０（ｂ）に示す配色により大きなドットサイズのマゼンタ色が強く認識されることによる。
【００９０】
すなわち、複写後の複写印刷用紙の隠し文字部分と背景部分とが異なる色相となり、隠し文字部分が認識されることとなる。
【００９１】
なお、図１１（ｃ）は、図９（ｂ）および図１０（ｂ）に示す背景部分のシアン色とマゼンタ色の色材を入れ替えた配色状態からなる地紋を有する原本の印刷用紙を複写処理した複写印刷用紙の地紋を示している。すなわち、背景部分としてドットサイズの大きなシアン色を強く認識するとともに、隠し文字部分がブルー色となる。
【００９２】
図１２は、シアン色、マゼンタ色、イエロー色のうちのいずれか２色を用いて印刷出力することによる色材の状態を示している。図１２では、シアン色とマゼンタ色のみを用いて印刷出力する場合について説明する。
【００９３】
図１２において、図１２（ａ）は、隠し文字部分の配色状態を示しており、その隠し文字部分は、二色の重ね合わせにより配色される部分と一色のみで配色される部分とにより構成される。
【００９４】
二色の重ねあわせ部分は、シアン色の色材の上にマゼンタ色の色材を重ね合わせた構造であり、一色のみの部分は、シアン色の色材を一定の間隔を空けて配色した構造である。これは、下段のシアン色の色材をマゼンタ色の色材よりも少ないスクリーン数で印刷するとともに、そのシアン色のスクリーンをマゼンタ色の色材のドットサイズよりも大きなドットサイズで印刷出力した例を示している。
【００９５】
すなわち、図１２（ａ）では、それぞれスクリーン数「８個」のマゼンタ色とスクリーン数「２個」のシアン色を示しており、また、シアン色のドットサイズはマゼンタ色よりも大きなドットサイズであることを示す。
【００９６】
図１２（ｂ）では、シアン色の色材とマゼンタ色の色材を同一スクリーン数で印刷出力し、シアン色とマゼンタ色を一定間隔をとって構成した組合せを一組として複数組、配色した構造である。
【００９７】
この図１２に示す配色構造により印刷出力した状態を図１３に示す。
【００９８】
図１３（ａ）は、図１２（ａ）に示す配色状態によって隠し文字部分を印刷出力し、また図１２（ｂ）に示す配色状態により背景部分を印刷出力した地紋を示している。隠し文字部分はシアン色にマゼンタ色を重ね合わせることによるブルー色で構成され、背景部分はシアン色とマゼンタ色を組み合わせたブルー色で構成されるため、この地紋を有する原本の印刷用紙では、隠し文字部分と背景部分とが一体化し、隠し文字部分の存在を意識することを必要としない。
【００９９】
それに対して、この地紋を有する原本の印刷用紙を複写処理したことによる地紋を図１３（ｂ）に示す。
【０１００】
図１３（ｂ）に示す地紋の背景部分は、図１２（ａ）に示すようにシアン色の上にマゼンタ色を重ね合わせた色であって、マゼンタ色が一定の間隔を空けて配色されていることからシアン色が強く認識されてシアン色系の色となる。また、隠し文字部分は、シアン色とマゼンタ色の組合せが一定の間隔を空けて配色していることから図１３（ａ）に示す地紋の背景部分よりも薄いブルー色となる。
【０１０１】
すなわち、複写後の地紋において、背景部分と隠し文字部分とのコントラストが異なることとなり、隠し文字部分を認識することができるようになる。
【０１０２】
なお、図１３（ｃ）は、図１２（ａ）に示す隠し文字部分の色材を入れ替えた配色状態によって印刷出力した地紋である。すなわち、二色の重ね合わせ部分は、マゼンタ色の色材の上にシアン色の色材を配色した構造からなり、また、一色のみの部分は、シアン色の色材を印刷出力する構造からなる。
【０１０３】
このような配色状態の地紋を複写処理することにより、隠し文字部分としてマゼンタ色が強く認識されることとなる。
【０１０４】
図１４は、シアン色、マゼンタ色、イエロー色のうちのいずれか２色を用いて印刷出力することによる各色材の状態を示している。図１４では、シアン色とマゼンタ色のみを用いて印刷出力する場合について説明する。
【０１０５】
図１４において、図１４（ａ）は、隠し文字部分の配色状態を示しており、図１２（ａ）と同一の配色状態を示す。すなわち、二色の重ね合わせにより配色される部分を、シアン色の色材の上にマゼンタ色の色材を重ねる構造とし、また、一色のみで配色される部分を、マゼンタ色の色材による構造とする。
【０１０６】
図１４（ｂ）は、背景部分の配色状態を示しており、図１４（ａ）に示す配色を相互に入れ替えた配色状態からなる。二色の重ね合わせにより配色される部分を、マゼンタ色の色材の上にシアン色の色材を重ねる配色構造とし、また、一色のみで配色される部分を、シアン色の色材による配色構造とする。
【０１０７】
図１４（ａ）および図１４（ｂ）は、下段の色材を上段の色材よりも少ないスクリーン数で印刷するとともに、その上段の色材のスクリーンを下段の色材のドットサイズよりも大きなドットサイズで印刷出力した例を示している。図１４（ａ）に示す例では、下段のシアン色のスクリーン数が「２」であるのに対してマゼンタ色のスクリーン数が「８」で構成されており、また、シアン色の色材はマゼンタ色の色材に比べて大きなドットサイズによって構成されている。また、図１４（ｂ）に示す例では、下段のマゼンタ色のスクリーン数が「２」であるのに対してシアン色のスクリーン数が「８」で構成されており、また、マゼンタ色の色材はシアン色の色材に比べて大きなドットサイズによって構成されている。
【０１０８】
この図１４の配色により印刷出力した状態を図１５に示す。
【０１０９】
図１５（ａ）は、図１４（ａ）に示す配色状態によって隠し文字部分がブルー色で印刷出力され、また図１４（ｂ）に示す配色状態により背景部分も同様にブルー色で印刷出力される。このため、隠し文字部分と背景部分とが一体化し、隠し文字部分の存在を意識することを必要としない。
【０１１０】
それに対して、この地紋を有する原本の印刷用紙を複写処理した複写後の複写印刷用紙の地紋を図１５（ｂ）に示す。
【０１１１】
図１５（ｂ）では、図１４（ａ）に示す地紋部分のマゼンタ色のコントラストがシアン色のコントラストに比べて強く認識され、隠し文字部分がシアン色で印刷出力されることとなる。また、図１４（ｂ）に示す背景部分のマゼンタ色のコントラストがシアン色のコントラストに比べて強く認識されることから複写後の複写印刷用紙では、背景部分がマゼンタ色で印刷出力されることとなる。
【０１１２】
すなわち、複写後の地紋の背景部分が原本の印刷用紙の地紋の背景部分と異なる色相となり、複写印刷用紙では地紋部分の配色が変化するとともに背景部分の配色についても変化することとなり、隠し文字部分が認識されることとなる。
【０１１３】
なお、図１５（ｃ）は、図１４（ａ）を背景部分の配色構造とし、また図１４（ｂ）を地紋部分の配色構造とした際の複写印刷文書の配色状態を示す図である。
【０１１４】
図１６は、シアン色、マゼンタ色、イエロー色の３色を用いて印刷出力する場合の各色材の状態を示す図である。
【０１１５】
図１６（ａ）は、隠し文字部分の配色状態を示しており、シアン色、マゼンタ色、イエロー色の３色を重ね合わせた配色構造である。図１６（ａ）では、下段にシアン色、中段にマゼンタ色、上段にイエロー色を配色した構造であって、単色黒色と類似する色である「プロセスブラック」を構成する。
【０１１６】
図１６（ｂ）は、背景部分の配色状態を示しており、シアン色、マゼンタ色、イエロー色全ての色材を一定の間隔を空けて同一のスクリーン数により配色した構造である。この図１６（ｂ）に示す背景部分は、図１６（ａ）の隠し文字部分よりも多いスクリーン数であって隠し文字のドットサイズよりも小さいドットサイズで構成される。
【０１１７】
図１７は、図１６の配色状態で印刷出力した地紋を読取装置によって読み取った色材のコントラストを示す図である。
【０１１８】
図１７（ａ）は、図１６（ａ）に示す配色で印刷出力した地紋の隠し文字部分を読み取ることにより出力されるコントラストを示し、図１７（ｂ）は、図１６（ｂ）に示す配色で印刷出力した地紋の背景部分を読み取ることにより出力されるコントラストを示す。
【０１１９】
すなわち、図１７（ｂ）に示す背景部分のコントラストよりも図１７（ａ）に示す隠し文字部分のコントラストの方が強いことを示いることから、読取装置では背景部分よりも隠し文字部分を強く認識していることを示す。
【０１２０】
図１８（ａ）は、図１６（ａ）に示す配色構造により印刷出力した地紋を示し、地紋の隠し文字部分がプロセスブラックによって印刷出力した状態を示している。また、地紋の背景部分をグレー色によって印刷出力した状態を示している。このため、この地紋を有する原本の印刷用紙では地紋部分と背景部分とが一体化し、地紋部分の存在を意識することを必要としない。
【０１２１】
これに対して、この地紋を有する原本の印刷用紙を複写処理すると、図１８（ｂ）に示すように地紋部分がプロセスブラックで印刷出力され、背景部分が薄いグレー色で印刷されることとなる。背景部分は、図１６（ｂ）に示す構造のように各色材が一定の間隔を空けて配色されているため薄いグレー色となる。
【０１２２】
すなわち、複写後の複写印刷用紙の地紋における背景部分のコントラストが小さくなることにより隠し文字のコントラストとの差が大きくなり、複写後において地紋部分が認識されることとなる。
【０１２３】
図１９は、シアン色、マゼンタ色、イエロー色のうちのいずれか２色を用いた印刷出力における色材の状態を示す図であって、図１９では、シアン色とマゼンタ色とを用いて印刷出力した場合の例を示している。
【０１２４】
図１９（ａ）は、隠し文字部分の配色状態を示しており、シアン色とマゼンタ色を重ね合わせた例を示している。
【０１２５】
図１９（ａ）では、二色の重ね合わせにより構成され、シアン色の色材の上にマゼンタ色の色材を配色している。図１９（ｂ）は、背景部分の配色状態を示しており、シアン色とマゼンタ色を一定の間隔を空けた色の組合せを複数、配色した構成である。
【０１２６】
このときの原本印刷文書を構成する地紋周辺部分の一例を図２０（ａ）に示す。
【０１２７】
図２０（ａ）は、図１９（ａ）および図１９（ｂ）に示す配色状態による地紋を印刷出力した原本の印刷用紙を示している。隠し文字部分がブルー色系の色で印刷出力され、また背景部分も同様に薄いブルー系色の色で印刷出力されている。このため、この地紋では、地紋部分と背景部分とが一体化し、地紋部分の存在を意識することを必要としない。
【０１２８】
それに対して、この地紋を有する原本の印刷用紙を複写処理すると、図２０（ｂ）に示すように地紋部分はそのままに印刷出力され、背景部分は、薄いブルーとなる。
【０１２９】
なお、図２０（ｃ）は、図１９（ｂ）に示すシアン色とマゼンタ色の間隔を更に広くした場合における複写印刷文書を示す。すなわち、図２０（ｂ）の背景部分に比べて薄い配色となる。
【０１３０】
図２１は、シアン色、マゼンタ色、イエロー色、ブラック色を用いて印刷出力する場合の色材の状態を示す図である。
【０１３１】
図２１（ａ）は、地紋部分の印刷出力状態を示し、図１６（ａ）に示す配色状態と同様であり、シアン色、マゼンタ色、イエロー色の３色を重ねた配色である。すなわち、プロセスブラックを構成する。
【０１３２】
図２１（ｂ）は、単色黒色を用いた配色状態であり、単色ブラック色を一定の間隔を空けて配色している。
【０１３３】
背景部分のスクリーン数を隠し文字部分のスクリーン数よりも多く印刷出力し、隠し文字部分を背景部分よりも大きなドットサイズで印刷出力する。
【０１３４】
以上に示すような画像制御処理を行って印刷出力することで原本の印刷用紙が作成され、この印刷用紙が複写された場合に隠し文字を認識するようになる。
【０１３５】
なお、本発明は、通信機能を備えた地紋印刷システムで上述の動作を実行させ、あるいは上述の手段を構成させるためのプログラムを格納した記録媒体（ＣＤ−ＲＯＭ、ＤＶＤ−ＲＯＭ等）から該プログラムをコンピュータにインストールし、これを実行させることにより、上述の処理を実行する地紋印刷ステムを構成することも可能である。地紋印刷システムを構成するコンピュータは、システムバスを介してＣＰＵ（Central Processor Unit）、ＲＯＭ（Read Only Memory）、ＲＡＭ（Random Access Memory）、ハードディスクが接続されている。ＣＰＵは、ＲＯＭまたはハードディスクに記憶されているプログラムに従い、ＲＡＭを作業領域にして処理を行う。
【０１３６】
また、プログラムを供給するための媒体は、通信媒体（通信回線、通信システムのように一時的または流動的にプログラムを保持する媒体）でもよい。例えば、通信ネットワークの電子掲示板（ＢＢＳ：Bulletin Board Service）に該プログラムを掲示し、これを通信回線を介して配信するようにしてもよい。
【０１３７】
本発明は、上記し、且つ図面に示す実施例に限定することなく、その要旨を変更しない範囲内で適宜変形して実施できるものである。
【図面の簡単な説明】
【０１３８】
【図１】本発明の実施の形態における画像形成装置を適用して構成した画像形成装置の構成を示す図の一例。
【図２】地紋の一例を示す図。
【図３】隠し文字部分および背景部分における配色状態を示す図。
【図４】読取装置で読み取ることによって示されるコントラストの状態を示す図。
【図５】マゼンタ色の色材の上にシアン色とイエロー色の色材を重ね合わせた構造からなり、シアン色とイエロー色の同一スクリーン数をマゼンタ色の１つのスクリーン上に重ね合わせた構造を示す図。
【図６】地紋印刷の状態を示す図。
【図７】図２に示す原本の印刷用紙に印刷された地紋の配色状態を示す他の図。
【図８】地紋印刷の状態を示す図。
【図９】シアン色、マゼンタ色、イエロー色のうちのいずれか２色を用いて印刷出力することによる色材の状態を示す図。
【図１０】シアン色、マゼンタ色、イエロー色のうちのいずれか２色を用いて印刷出力することによる色材の状態を示す図。
【図１１】地紋印刷の状態を示す図。
【図１２】シアン色、マゼンタ色、イエロー色のうちのいずれか２色を用いて印刷出力することによる色材の状態を示す図。
【図１３】図１２に示す配色構造により印刷出力した状態を示す図。
【図１４】シアン色、マゼンタ色、イエロー色のうちのいずれか２色を用いて印刷出力することによる各色材の状態を示す図。
【図１５】図１４の配色により印刷出力した状態を示す図。
【図１６】シアン色、マゼンタ色、イエロー色の３色を用いて印刷出力する場合の各色材の状態を示す図。
【図１７】図１６の配色状態で印刷出力した地紋を読取装置によって読み取った色材のコントラストを示す図。
【図１８】地紋印刷の状態を示す図。
【図１９】シアン色、マゼンタ色、イエロー色のうちのいずれか２色を用いた印刷出力における色材の状態を示す図。
【図２０】地紋印刷の状態を示す図。
【図２１】シアン色、マゼンタ色、イエロー色、ブラック色を用いて印刷出力する場合の色材の状態を示す図。
【符号の説明】
【０１３９】
１００      画像制御部
１０１      地紋印刷制御部
１０２      地紋印刷設定情報記憶部
１０３      画像生成部
１０４      色材情報取得部
１１０      印刷出力部
１１１      出力制御部
１１２      出力処理部
１２０      ユーザインターフェース
１２１      通信インターフェース
【図１】
2010087780.tif 000003
【図２】
2010087780.tif 000004
【図３】
2010087780.tif 000005
【図４】
2010087780.tif 000006
【図５】
2010087780.tif 000007
【図６】
2010087780.tif 000008
【図７】
2010087780.tif 000009
【図８】
2010087780.tif 000010
【図９】
2010087780.tif 000011
【図１０】
2010087780.tif 000012
【図１１】
2010087780.tif 000013
【図１２】
2010087780.tif 000014
【図１３】
2010087780.tif 000015
【図１４】
2010087780.tif 000016
【図１５】
2010087780.tif 000017
【図１６】
2010087780.tif 000018
【図１７】
2010087780.tif 000019
【図１８】
2010087780.tif 000020
【図１９】
2010087780.tif 000021
【図２０】
2010087780.tif 000022
【図２１】
2010087780.tif 000023